(57)【特許請求の範囲】
【請求項１】
左右レンズ枠および左右レンズ枠をつなぐブリッジが樹脂により一体成形されており、左右レンズ枠は、それぞれ、枠の左端および枠の右端に、所定の隙間を有して上下に分割された分割部を備えているレンズ枠と、
前記左右レンズ枠にそれぞれ連結されており、左右レンズ枠の端に形成された前記分割部の隙間に嵌合されて枠の一部を形成する突起と、前記突起と一体成形され、枠の外側が延設された状態になるように嵌合される本体と、を有する一対の鎧と、
前記一対の鎧に回動可能に取り付けられた一対のテンプルと、を含み、
前記レンズ枠は、上側を区画する上枠部と、下側を区画する下枠部とを有し、
前記鎧の本体は、先端がレンズ枠の上枠部および下枠部の外端面と当接して、レンズ枠の端が鎧本体の前後方向の幅分だけ斜め後方へ延設されたごとき状態に組み合わされ、後端へ向かって上下方向の寸法がやや狭まる緩いテーパ状をした板状をし、
当該板状本体により、前方左右から目の方向へ入射する光が遮断されることを特徴とする眼鏡フレーム。
【請求項２】
レンズ枠の外側端部に連結される眼鏡フレーム用の鎧であって、
前後方向および上下方向に一定の広がりを有する板状をなし、先端がレンズ枠の外側端部に嵌合されてレンズ枠の端が前後方向の幅分だけ斜め後方に延設されたごとき状態に組み合わされ得る板状の本体と、
前記本体の先端の上下方向略中央から前方へ突出し、レンズ枠の外側端部に形成された分割部の隙間に挿入されて枠の一部を形成する突起と、
を含むことを特徴とする、眼鏡フレーム用鎧。
【発明の詳細な説明】
【技術分野】
【０００１】
この発明は、眼鏡フレームに関し、特に、スポーツグラスまたはスポーツサングラスと称される眼鏡に利用可能な樹脂製の眼鏡フレームに関する。また、その種の眼鏡フレーム用の鎧に関する。
【背景技術】
【０００２】
従来の眼鏡フレームの構造は、特許文献１および特許文献２に開示されている。
従来の眼鏡フレームの一例は、特許文献１の図３に示されるように、レンズ枠（フレーム本体Ｆ１）が、弾性を有する金属材で形成されており、その両端部が上下に分割されて、分割部４を備えた構成になっている。分割部４が開かれることにより、レンズ１の着脱が可能である。通常、レンズ枠（フレーム本体Ｆ１）とレンズ１とは別々に準備されるため、レンズ１の寸法の方がレンズ枠の内径よりも大きい。そこでレンズ１の周囲を削ってレンズ枠（フレーム本体Ｆ１）の大きさに合わせる作業を行う。レンズ１の大きさをレンズ枠（フレーム本体Ｆ１）の大きさに合わせるために、レンズ枠（フレーム本体Ｆ１）の分割部４を開いてレンズ１を嵌めたり、外したりしながら調整作業が行われる。（特許文献１の段落［００１０］参照）
そして、レンズ１が装着された状態では、特許文献１の図２に示されるように、分割部４は隙間なく閉じられた状態となる。
【０００３】
従来の眼鏡フレームの他の例は、特許文献２の第９図に示されている。この眼鏡フレームは、レンズ枠（リム２）がプラスチック樹脂材を用いて形成されており、上リム２ａと下リム２ｂとに上下に２分割された構造である。別々に成形された上リム２ａと下リム２ｂとは、ねじ軸６によって一体に連結される。（特許文献２の第５ページ３〜７行、第８ページ１６〜１８行参照）
この従来例の場合、レンズ１の周囲を削って眼鏡フレーム（リム２）の内径と合わせる作業をする場合、リム２が上下に２分割できるから、リム２に対するレンズ１の着脱作業は容易に行うことができる。
【特許文献１】特開２０００−２７５５８３号公報
【特許文献２】国際公開番号ＷＯ２００４／０１３６７９Ａ１公報
【発明の開示】
【発明が解決しようとする課題】
【０００４】
特許文献１に記載されているような金属製の眼鏡フレームの場合、レンズ枠の両端部を上下に２分割構造にしたいわゆる割智構造のものが多数存在する。しかし、レンズ枠を樹脂により一体成形した場合、金属フレームと同様の割智構造を採用した場合、レンズの大きさをレンズ枠に合わせる作業中に、樹脂製のレンズ枠の塗装が剥げることがある。また、割智構造の耐久性が不十分であるという課題がある。
【０００５】
一方、レンズ枠を樹脂で構成する場合は、特許文献２に開示されているような上下２分割のレンズ枠とするのが一般的であるが、かかるレンズ枠を採用した場合、複雑な構造になるとともに、組立作業が煩雑になるという課題がある。
この発明は、このような背景のもとになされたもので、樹脂により一体成形されたレンズ枠を備える眼鏡フレームにおいて、レンズ枠の両側端部を特有の分割構造（割智構造）とし、その分割部に嵌合される鎧（「智」または「ブローチ」とも称される。）の構造を工夫することにより、シンプルな構成で、レンズの大きさの調整作業がし易く、組立が容易な眼鏡フレームを提供することを主たる目的とする。
【０００６】
この発明の他の目的は、樹脂製眼鏡フレームに採用可能な特有の構造の眼鏡フレーム用の鎧を提供することを他の目的とする。
【課題を解決するための手段】
【０００８】
請求項１記載の発明は、左右レンズ枠および左右レンズ枠をつなぐブリッジが樹脂により一体成形されており、左右レンズ枠は、それぞれ、枠の左端および枠の右端に、所定の隙間を有して上下に分割された分割部を備えているレンズ枠と、前記左右レンズ枠にそれぞれ連結されており、左右レンズ枠の端に形成された前記分割部の隙間に嵌合されて枠の一部を形成する突起と、前記突起と一体成形され、枠の外側が延設された状態になるように嵌合される本体と、を有する一対の鎧と、前記一対の鎧に回動可能に取り付けられた一対のテンプルと、を含み、前記レンズ枠は、上側を区画する上枠部と、下側を区画する下枠部とを有し、前記鎧の本体は、先端がレンズ枠の上枠部および下枠部の外端面と当接して、レンズ枠の端が鎧本体の前後方向の幅分だけ斜め後方へ延設されたごとき状態に組み合わされ、後端へ向かって上下方向の寸法がやや狭まる緩いテーパ状をした板状をし、当該板状本体により、前方左右から目の方向へ入射する光が遮断されることを特徴とする眼鏡フレームである。
【０００９】
請求項２記載の発明は、レンズ枠の外側端部に連結される眼鏡フレーム用の鎧であって、前後方向および上下方向に一定の広がりを有する板状をなし、先端がレンズ枠の外側端部に嵌合されてレンズ枠の端が前後方向の幅分だけ斜め後方に延設されたごとき状態に組み合わされ得る板状の本体と、前記本体の先端の上下方向略中央から前方へ突出し、レンズ枠の外側端部に形成された分割部の隙間に挿入されて枠の一部を形成する突起と、を含むことを特徴とする、眼鏡フレーム用鎧である。
【発明の効果】
【００１０】
請求項１記載の発明によれば、レンズ枠は、樹脂により一体成形されており、枠の左端および枠の右端は、所定の隙間を有して上下に分割されている。よって、レンズ枠の分割部を上下にやや拡げ、レンズ枠にレンズを嵌めたり外したりする作業は、レンズ枠に小さな応力を与えるだけで、簡単に行うことができる。
そして、分割部の所定の隙間は、鎧に備えられた突起により塞がれるので、レンズ枠の見栄えが悪くなるおそれはない。鎧は、突起および本体が一体成形された構成を有し、レンズ枠の左右端部から斜め後方へ連続しており、レンズ枠の左右側方を遮光状態で塞ぐ構造であることが好ましい。
【００１１】
かかる構成であれば、この発明に係る眼鏡フレームが、スポーツサングラス等に適用される際に、斜めの光の入射が鎧で遮られる。よって、使用感の良い眼鏡フレームとすることができる。
請求項２記載の発明のように、鎧を、板状の本体と、本体の前方へ突出する突起とを含む一体成形の構造とすることにより、眼鏡フレームの鎧を樹脂で良好に構成することができる。
【発明を実施するための最良の形態】
【００１２】
以下には、図面を参照して、この発明の具体的な実施形態について説明をする。
図１は、この発明の一実施形態に係る眼鏡フレーム１の正面図で、左（左目および左耳）側の鎧およびテンプルが取り外された状態で描かれている。また、図２は、図１に示す眼鏡フレーム１の平面図である。
図１および図２を参照して、眼鏡フレーム１は、レンズ枠２と、左右一対のテンプル３（図では、上述した通り、左耳用のテンプル３は取り外された状態で描かれている。）と、テンプル３をレンズ枠２の左右両端に連結するための一対の鎧４（図では、上述した通り、左耳用のテンプル３をレンズ枠２に連結するための鎧４は取り外された状態で描かれている。）とを有している。
【００１３】
レンズ枠２には、右レンズ枠２１、左レンズ枠２２、右レンズ枠２１および左レンズ枠２２を連結している中央に設けられたブリッジ５が含まれており、レンズ枠２はナイロンの射出成形（インジェクション成形）により一体成形されている。レンズ枠２を構成する材料は、ナイロンに限らず、他の樹脂でもよい。
樹脂で一体成形されたこのレンズ枠２の特徴は、右レンズ枠２１の外側（右端）、および、左レンズ枠２２の外側（左端）に、それぞれ、間隔ｄの隙間が形成され、上下に分割された分割部６が備えられていることである。つまり、レンズ枠２は、レンズ枠２に外力が加わらない状態において、分割部６の隙間ｄは繋がることなく、間隔ｄが開いた状態となる。
【００１４】
鎧４は、レンズ枠２とテンプル３とを接続するための部品である。鎧４の先端側は、レンズ枠２の分割部６と嵌合しており、鎧４の後端側にはテンプル３の先端部が回動可能に取り付けられている。
次に、左レンズ枠２２に連結される鎧４、およびその鎧４に取り付けられる左耳用のテンプル３を例にとって、鎧４の構成および取付構造について具体的に説明をする。
【００１５】
図３は、鎧４を中心とする眼鏡フレーム１の部分分解斜視図である。
左レンズ枠２２の左端には、分割部６が形成されており、左レンズ枠２２の上側を区画する上枠部２２１の下端面７と、左レンズ枠２２の下側を区画する下枠部２２２の上端面８との間には、間隔ｄの隙間が形成されている。上枠部２２１および下枠部２２２は、弾力性を有しており、レンズ１０を装着する場合には、分割部６の隙間を拡げるように上枠部２２１および下枠部２２２を軽く撓ませる。そして、レンズ１０を左レンズ枠２２にセットすることができる。その際、分割部６に隙間ｄが備わっているため、上枠部２２１および下枠部２２２間を拡げる操作は容易にでき、レンズ１０の着脱が支障なく、簡単に行える。
【００１６】
鎧４は、前後方向および上下方向に一定の広がりを有する板状の本体１１と、本体１１と一体成形され、本体１１の前端面１２から前方へ突出する突起１３と、本体１１と一体成形され、本体１１の後端面１４から後方へ突出する軸受突部１５と、突起１３の上下に配置され、本体１１の内面側から前端面１２の前方へ突出する薄板状の固定用突部１６，１７とが備えられている。これら各部材は射出成形による樹脂の一体成形品として作られれている。
【００１７】
鎧４は、左レンズ枠２２の分割部６に嵌合される。その際、分割部６の隙間ｄに突起１３が挿入され、突起１３が上下に分割された上枠部２２１の下端面７および下枠部２２２の上端面８間に介在されて、枠の一部を形成するように嵌合される。また、鎧４の前端面１２は、左レンズ枠２２の上枠部２２１の外端面１８および下枠部２２２の外端面１９と当接して、左レンズ枠２２の左端が鎧４の本体１１の前後方向の幅分だけ斜め後方に延設されたごとき状態に組み合わされる。
【００１８】
左レンズ枠２２の左端に鎧４が上述のように嵌合され、左レンズ枠２２の左端部は斜め後方へ鎧４（の本体１１）の寸法だけ延びた状態となるので、斜め前方から入射しようとする光は鎧４（の本体１１）で遮られる。つまり、眼鏡フレーム１を、斜め前方からの光を遮り、斜光が目に届かない、斜光から目を守る形状とすることができる。
鎧４の本体１１の後端面１４に突設された軸受突部１５と、テンプル３の前端面２０に形成された受け入れ凹部２１とが嵌め合わされ、後述するようにねじで固定することにより、テンプル３は鎧４に対して回動可能に取り付けられる。
【００１９】
図４は、左レンズ枠２２に対する鎧４の取付構造を説明するための図で、後方から見た状態が示されている。
図４を参照して、左レンズ枠２２の上枠部２２１および下枠部２２２には、その裏面側に、それぞれ、係合用に一段低く凹まされた係合段部３４、２３が形成されており、係合段部３４、２３には、前面まで貫通しないねじ孔２４、２５が穿孔されている。
【００２０】
鎧４の突起１３は、上枠部２２１と下枠部２２２との間の隙間ｄに嵌め込まれ、上枠部２２１の下端面７および下枠部２２２の上端面８間を繋いで、左レンズ枠２２の一部を構成する。また、固定用突部１６は係合凹部３４に嵌合し、固定用突部１７は係合凹部２３に嵌合して、上枠部２２１および下枠部２２２の後面側とほぼ面一になる。固定用突部１６、１７には、それぞれ貫通孔２６、２７が形成されており、この貫通孔２６、２７の後方からねじ２８、２９が挿入され、ねじ２８、２９の先がねじ孔２４、２５にねじ込まれることによって、左レンズ枠２２に対する鎧４の取り付けが完成する。
【００２１】
図５は、鎧４とテンプル３との取付構造を説明するための分解斜視図である。
鎧４の本体１１には、その後端面１４から突出する軸受突部１５が形成されている。軸受突部１５は、後端面１４の上下方向ほぼ中央部で、本体１１の内面寄りの位置に設けられ、後方へ突出している。
テンプル３は、その先端面２０が、鎧４の本体１１の後端面１４と対応する大きさに形成されている。すなわち、テンプル３の前端は、上下方向の寸法および左右方向の厚みが、鎧４の本体１１の後端面１４に対応した寸法とされている。そしてテンプル３の前端面２０には、内面側に、後方に向かって窪む受け入れ凹部２１が形成されている。また、受け入れ凹部２１の上下には、表面が円筒面状のガイド面３０が形成されている。軸受突部１５と受け入れ凹部２１とが嵌合するように、鎧４に対してテンプル３が組み合わされる。軸受突部１５には、上下方向に貫通する貫通孔３１が形成されており、受け入れ凹部２１の上下にあるガイド面３０内には、それぞれ、ねじ孔３１、３２が形成されている。上方のねじ孔３１は、テンプル３の上端面から上方へ貫通してはいない。一方、下方のねじ孔３２は、テンプル３の下端面から受け入れ凹部２１へと貫通している。鎧４およびテンプル３が組み合わされ、ねじ孔３２の下方から長ねじ３３が挿入され、ねじ孔３２、貫通孔３１およびねじ孔３１に連通され、鎧４に対しテンプル３は、矢印Ａ１方向へ回動可能に取り付けられる。
【００２２】
この発明は、以上説明した実施形態に限定されるものではなく、請求項記載の範囲内において種々の変更が可能である。
【図面の簡単な説明】
【００２３】
【図１】この発明の一実施形態に係る眼鏡フレーム１の正面図である。
【図２】図１に示す眼鏡フレーム１の平面図である。
【図３】鎧４を中心とする眼鏡フレーム１の部分分解斜視図である。
【図４】左レンズ枠２２に対する鎧４の取付構造を説明するための図である。
【図５】鎧４とテンプル３との取付構造を説明するための分解斜視図である。
【符号の説明】
【００２４】
１    眼鏡フレーム
２    レンズ枠
２１    右レンズ枠
２２    左レンズ枠
２２１    上端部
２２２    下端部
３    テンプル
４    鎧
５    ブリッジ
６    分割部
７    上端面
８    下端面
１１    鎧の本体
１２    前端面
１３    突起
１４    後端面
１５    軸受突部
１６、１７    固定用突部
【図１】
0005038873.tif 000002
【図２】
0005038873.tif 000003
【図３】
0005038873.tif 000004
【図４】
0005038873.tif 000005
【図５】
0005038873.tif 000006